(57)【要約】【課題】自動車の計器盤用のアナログ時間表示装置を提供する。【解決手段】本発明の自動車の計器盤用のアナログ時間表示装置１は、到着時間及び／又は目的地までの運転時間を表示する１つ又は複数の手段３，３．１，３．２，４をそれぞれ有し、到着時間及び／又は目的地までの運転時間を表示する手段として１つまたは複数の機械式指針３，３．１，３．２が備えられている１つ又は複数の文字盤２と、自動車に搭載されたカーナビ機器を含め自動車から情報を受信するためのデータシステムにアナログ時間表示装置１を統合するためのインターフェースと、カーナビ機器からの情報を処理し、転送するためのマイクロプロセッサと、マイクロプロセッサによって制御可能であり、到着時間及び／又は目的地までの運転時間を文字盤２に表示する手段３，３．１，３．２，４を駆動する役割を果たす１つ又は複数の駆動ユニットと、を含むアナログ時間表示装置に関する。【選択図】図７
2011227078.tif 000002
【特許請求の範囲】
【請求項１】
自動車の計器盤用のアナログ時間表示装置（１）であって、
到着時間及び／又は目的地までの運転時間を表示する１つ又は複数の手段（３，３．１，３．２，４）をそれぞれ有し、到着時間及び／又は目的地までの運転時間を表示する手段として１つまたは複数の機械式指針（３，３．１，３．２）が備えられている１つ又は複数の文字盤（２）と、
自動車に搭載されたカーナビ機器を含め自動車から情報を受信するためのデータシステムにアナログ時間表示装置（１）を統合するためのインターフェースと、
カーナビ機器からの情報を処理し、転送するためのマイクロプロセッサと、
マイクロプロセッサによって制御可能であり、到着時間及び／又は目的地までの運転時間を文字盤（２）に表示する手段（３，３．１，３．２，４）を駆動する役割を果たす１つ又は複数の駆動ユニットと、を含むアナログ時間表示装置。
【請求項２】
到着時間又は目的地までの所要時間を表示する手段（３，３．１，３．２，４）として別個の表示窓（４）が前記文字盤（２）上に備えられる請求項１に記載のアナログ時間表示装置（１）。
【請求項３】
到着時間又は目的地までの所要時間を表示する手段（３，３．１，３．２，４）として数字を前記文字盤（２）上に機械式に円筒状に統合して表示する手段が備えられる請求項１又は２に記載のアナログ時間表示装置（１）。
【請求項４】
目的地までの所要時間又は到着時間を時単位又は分単位で表示する手段（３，３．１，３．２，４）として２つの機械式指針（３．１，３．２）が備えられる請求項１から３のいずれかに記載のアナログ時間表示装置。
【請求項５】
目的地までの所要時間を分単位で表示する手段（３，３．１，３．２，４）として単一の機械式指針（３）が備えられる請求項１から３のいずれかに記載のアナログ時間表示装置。
【請求項６】
到着時間を表示する手段（３，３．１，３．２，４）として２つの機械式指針（３．１、３．２）と、目的地までの所要時間を表示する手段（３，３．１，３．２，４）として前記文字盤（２）上に組み込まれた別個の表示窓（４）が備えられる請求項１から３のいずれかに記載のアナログ時間表示装置。
【請求項７】
目的地までの所要時間を表示する手段（３，３．１，３．２，４）として２つの機械式指針（３．１，３．２）が備えられ、現在の時刻を表示する手段として更に２つの機械式指針（５．１，５．２）が備えられる請求項１から３のいずれかに記載のアナログ時間表示装置。
【請求項８】
現在の時刻を表示するための機械式指針（５．１，５．２）と、目的地までの所要時間又は到着時間を表示するための機械式指針（３．１，３．２）とがアナログ時計の形式で前記文字盤（２）上に配置される請求項７に記載のアナログ時間表示装置。
【請求項９】
現在の時刻を表示するための機械式指針（５．１，５．２）と、目的地までの所要時間又は到着時間を表示するための機械式指針（３．１，３．２）とが両方の時間を表示するために２つのアナログ時計の形式で前記文字盤（２．１，２．２）上に配置される請求項７に記載のアナログ時間表示装置。
【請求項１０】
１つ又は複数の前記文字盤（２，２．１，２．２）が、バックライトを点灯した後で初めて見えるように実施される請求項１から９のいずれかに記載のアナログ時間表示装置。
【請求項１１】
１つ又は複数の前記文字盤（３．１，３．２，５．１，５．２）が、機械式指針（３．１，３．２，５．１，５．２）の形状が、ひいては機械式指針（３．１，３．２，５．１，５．２）自体がバックライトを点灯した後で初めて見えるように実施される請求項１から１０のいずれかに記載のアナログ時間表示装置。
【発明の詳細な説明】
【技術分野】
【０００１】
本発明は、自動車の計器盤用アナログ時間表示装置に関する。
【背景技術】
【０００２】
様々な自動車には時刻のディジタル及びアナログ表示装置がある。これらは、例えば、計器クラスタ又はラジオに統合され、又は別個の時計の形態で備えられる。現在の時刻を表示する時計の他に、特定の開始時間以降の時間、又は場合によってはそれ以前の時間を記録するストップウオッチもある。様々な実施形態のポータブルカーナビ装置は到着までの運転時間、又は到着時刻の予測値を補足的に表示し、それぞれディジタル形式でのみ表示される。更に、幾つかの自動車では別個の機器に厳密なストップウオッチ機能が提供されることも知られている。
【０００３】
ドイツ特許第１０１ ５５ ２３５ Ａ１号明細書（特許文献１）には、地理的な方向情報を表示するために時計に似た指針が用いられるスクリーン形式の表示装置が記載されている。この場合、自動車の移動経路のナビゲーション情報の全ての部分が、少なくとも１つの第１の指針によってスクリーンに示される表示形態に変換され、これが次の方向転換の可能性がある場合の分岐方向を示すために利用される。更に、選択された方向又は目的地の方向に向かう目下の方向を表示するために利用される第２の指針が備えられている。その際、ドライバーがナビゲーション案内を簡単に読み取れるようにするため、両方の指針はナビゲーション用の主表示スクリーンを構成する。
【０００４】
ドイツ特許第２０ ２００８ ０１０ ９７２ Ｕ１号明細書（特許文献２）から衛星信号同期を利用したアナログ時計が公知である。このアナログ時計はケースと、文字盤と、指針セットと、ケース内に配置され、衛星信号を受信し、マイクロプロセッサに転送する役割を果たす衛星信号受信機とを含んでいる。このアナログ時計は、更に、指針セットと連結され、文字盤上に正確な時刻情報が表示されるように指針セットを駆動する役割を果たすモータ減速ギヤを含んでいる。マイクロプロセッサはモータ減速ギヤを駆動し、正確な時刻を文字盤に表示するために、衛星信号受信機から得られた信号を処理し、同期化するために備えられている。このアナログ時計は、更に、衛星信号から提供される更に別の衛星情報を表示するためにマイクロプロセッサによって作動される衛星情報表示ユニットを含んでいる。これらの更に別の情報は地理的な方向情報、特にカレンダー、縦横座標、高度、移動速度及び方向に関するものである。それによって羅針儀のような地理情報の表示が達成される。
【０００５】
米国特許第２００８／０２０９４６８Ａ１号明細書（特許文献３）は、フォルダ内に構造化されて存在するデータバンクを利用して「移動」を表示するために指針が使用されるスクリーン形式の表示装置を記載している。
【０００６】
国際公開第９６／２１１３９Ａ１号（特許文献４）から、衛星信号受信ユニットと組み合わせて地理上の目的地を探索し、かつ通常のアナログ時計としても使用される装置が公知である。衛星データは特に、時計の指針が現在の地理的方向を示すと共に目指している目的地の地理的な方向をも示すために利用される。それによって羅針儀のような地理情報の表示が達成される。
【０００７】
国際特許第９８／３８０５９Ａ１号（特許文献５）には、指針と目盛盤が様々な情報、特に時刻をも表示するために使用される自動車のスクリーン表示装置が記載されている。この場合、目盛盤は、指針の他に、補足情報を表示するための少なくとももう１つの補助表示窓を含んでいる。この表示窓によって、例えば目的地の予測到着時間又は目的地までの予測運転時間が補足情報として表示される。
【０００８】
自動車のディジタル又はアナログ時計を利用する上記の各装置には、目的地までの運転時間／到着時間の情報がスクリーン上にのみ表示され、したがって通常はこれらに関連する情報をいつでも見ることはできないという欠点がある。これは特に、スクリーンが別の情報を表示するために利用されている場合に当てはまる。
【０００９】
ポータブルカーナビ機器を利用した上記の各装置では運転時間／到着時間の情報がディジタル形式で表示されるものの、この場合もスクリーンが同時に別の情報を表示するために利用されるのでいつでも見る訳にはいかない。一般的な人間工学的な理解によれば、アナログ時間表示はディジタル表示よりも迅速かつ効果的に読み取ることができる。したがって、特にディジタル時間表示によって結果としてドライバーの気が散り、ひいてはドライバーの安全性に悪影響が生ずる。
【００１０】
更に、スクリーン形式の表示は機械的な実施形態と比較すると質的に劣るものと格付けされている。特にスクリーン表示には、一般的な見方で優れた質的な印象と結び付く時計の機械的な実施形態がない。このことは特に、デラックス車及び高級車には通常は別個の機械式時計が備えられていることでも分かる。
【先行技術文献】
【特許文献】
【００１１】
【特許文献１】ドイツ特許第１０１ ５５ ２３５ Ａ１号明細書
【特許文献２】ドイツ特許第２０ ２００８ ０１０ ９７２ Ｕ１号明細書
【特許文献３】米国特許第２００８／０２０９４６８ Ａ１号明細書
【特許文献４】国際公開第９６／２１１３９Ａ１号
【特許文献５】国際公開第９８／３８０５９Ａ１号
【発明の概要】
【発明が解決しようとする課題】
【００１２】
本発明の目的は、ドライバーが簡単に、かつ気が散る恐れがさほどなく読み取ることができるような、目的地までの所要時間又は到着時間の簡単で低コストの表示形態を自動車に備えることにある。
【課題を解決するための手段】
【００１３】
本発明の目的は、自動車の計器盤用のアナログ時間表示装置であって、
到着時間及び／又は目的地までの運転時間を表示する１つ又は複数の手段をそれぞれ有し、到着時間及び／又は目的地までの運転時間を表示する手段として１つまたは複数の機械式指針が備えられている１つ又は複数の文字盤と、
自動車に搭載されたカーナビ機器を含め自動車から情報を受信するためのデータシステムにアナログ時間表示装置を統合するためのインターフェースと、
カーナビ機器からの情報を処理し、転送するためのマイクロプロセッサと、
マイクロプロセッサによって制御可能であり、到着時間及び／又は目的地までの運転時間を文字盤に表示する手段を駆動する役割を果たす１つ又は複数の駆動ユニットと、を含むアナログ時間表示装置によって達成される。
【００１４】
本発明の構想は、機械式指針を有するアナログ時間装置を、例えばＣＡＮ、ＬＩＮ、ＭＯＳＴ、ＦｌｅｘＲａｙ、イーサーネット（バス）又はその他のシステムなどのデータシステムに、ひいては一般に自動車で利用できる情報を転送し、考慮するための有効なインターフェースに統合することである。それには衛星リンクされたカーナビ機器からの情報も含まれ、それによって位置特定に必要な衛星受信機を本発明による装置に別途に備える必要がなくなる。それによって本発明は、計算された、又は予測される目的地までの所要時間又は到着時間を好ましくはアナログ形式で表示するために、統合されたカーナビ機器を含めて自動車に存在する情報を利用することを可能にするアナログ時間表示装置を自動車に搭載するものである。機械式指針を備えた機械式アナログ時計を使用して、自動車用のカーナビシステム用に目的地までの所要時間及び到着時間情報をこのようにアナログ表示することは、従来から公知ではない。
【００１５】
本発明の利点は特に、機械式に実施された時計が到着時間又は目的地までの所要時間を高質に、効果的にかつ自動車に統合された形式で表示することができることにある。それによってドライバーに対する情報表示を向上させることに多大な貢献がなされる。アナログ時間表示によって読み取りプロセスによりドライバーの気が散ることが軽減される。例えば業務上の、又はその他の期限がある場合にこれらの情報が特に有意義であり、それに伴って頻繁に読み取られるので、気が散ることが少ないことはまさに目的地までの所要時間又は到着時間の情報の表示にとって重要である。
【００１６】
記載する本発明による時計は、通常は運転席のセンターコンソールに配置される。しかし、アナログ時間表示装置は計器盤の別の位置、又はヘッドライナに取り付けられた表示ユニットに組み込むこともできる。
【００１７】
アナログ時間表示装置は本発明に基づいて１つ又は複数の機械式指針を含んでいるが、本発明の実施形態では現在の時刻、又は到着時間又は目的地までの所要時間を表示する手段として別個の表示窓を含むこともでき、又は時計の文字盤に数字を機械式に円筒状に統合して表示することもできる。
【００１８】
目的地までの所要時間又は到着時間を時単位と分単位で表示するための手段として、本発明の好ましい実施形態では２つの機械式指針が備えられる。
【００１９】
本発明の変形実施形態では、目的地までの所要時間を分単位で表示する手段として単一の機械式指針が備えられる。
【００２０】
本発明の更に別の実施形態では、到着時間を表示する手段として２つの機械式指針が備えられ、一方、目的地までの所要時間を表示する手段として文字盤に組み込まれた数字表示付きの別個の表示窓が使用される。
【００２１】
本発明の更に別の特に好ましい実施形態では、到着時間を表示する手段として２つの機械式指針が備えられ、目的地までの所要時間、又は到着時間を表示する手段として更に２つの機械式指針が備えられる。その際、現在の時刻を表示する機械式指針と目的地までの所要時間又は到着時間を表示する機械式指針とをアナログ時計の形式で文字盤に配置し、様々な指針の対を色や形状などの特徴で区別できるようにすることができる。あるいは、現在の時刻を表示する機械式指針と目的地までの所要時間又は到着時間を表示する機械式指針とを、両方の時間を表示するための２つのアナログ時計の形態で別の文字盤に配置することもできる。この実施形態の好ましい変形形態では、大きな文字盤と、その上に配置された小さい別の文字盤の形式の異なる文字盤が備えられる。この実施形態の更に別の変形形態では別の文字盤が互いに分離して配置される。
【００２２】
本発明の更に別の有利な実施形態は、到着時間又は目的地までの所要時間を表示する機械式指針に加えて、カーナビ機器の距離計によって得られる距離を表示する距離目盛を有する別個の文字盤上の補足的な機械式指針を備えている。
【００２３】
バックライトを点灯させた後で初めて情報を見ることができるように１つ又は複数の文字盤を実施することができる。ライトを点灯させた後で初めて機械式指針の形式で、すなわち機械式指針自体を見ることができるように１つ又は複数の文字盤を実施することもできる。
【００２４】
本発明のそのほかの詳細、特徴及び利点は、添付図面を参照した実施形態の以下の説明から明らかになる。
【図面の簡単な説明】
【００２５】
【図１】到着時間を表示するための２つの機械式指針を有する文字盤を示す図である。
【図２】機械式指針を１つだけ有する、目的地までの所要時間を表示するための文字盤を示す図である。
【図３】機械式指針と、組み込まれた別個の表示窓とを有する文字盤を示す図である。
【図４】現在の時刻と到着時間とを並行して表示する文字盤を示す図である。
【図５】現在の時刻と目的地までの所要時間を並行して表示する文字盤を示す図である。
【図６】現在の時刻と到着時間を並行して表示する文字盤を示す図である。
【図７】アナログ時間表示装置のブロック図である。
【発明を実施するための形態】
【００２６】
図１は到着時間を表示するために２つの機械式指針３．１と３．２とを有する文字盤２の形態の本発明によるアナログ時間表示装置１を示す。更に、両方の指針３．１と３．２を用いて、小さい機械式指針３．２が目的地までの所要時間の分を示し、大きい機械式指針３．１が時を示すことで目的地までの所要時間を表示することもできる。（例えばＬＩＮ又はＣＡＮバスを介した）カーナビシステム（図１には図示せず）のアナログ時間表示装置は到着時間及び目的地までの所要時間の時間情報を取得する。そのために必要なアナログ時間表示装置１の以下の構成部品：
・自動車に搭載されているカーナビ機器を含む情報を受信するためのデータシステムに時間表示装置１を統合するためのインターフェース
・カーナビ機器からの情報を処理し、転送するためのマイクロプロセッサ
・マイクロプロセッサによって制御可能であり、到着時間及び／又は目的地までの運転時間を文字盤に表示する手段を駆動する役割を果たす１つ又は複数の駆動ユニット
については、図示していない。
【００２７】
図２は目的地までの所要時間を分単位で表示するための機械式指針３を１つだけ有する文字盤２付きのアナログ時間表示装置１を示す。したがって、図２に示す文字盤２は６０分目盛を備えている。
【００２８】
図３には、機械式指針３．１，３．２を有する文字盤２上に到着時間が表示されるアナログ時間表示装置１が示されている。更に、数字の形式で目的地までの所要時間を表示するための、文字盤に組み込まれた別個の表示窓４が備えられている。
【００２９】
図４には、文字盤２上に現在の時刻と到着時間とが並行して表示されるアナログ時間表示装置１が示されている。そのために、到着時間又は目的地までの所要時間を表示するために一対の機械式指針３．１及び３．２と現在の時刻を表示するためのもう一対の機械式指針５．１，５．２が使用される。
【００３０】
図５には、機械式指針５．１，５．２を有する大きい文字盤２．１上に現在の時刻が表示されるアナログ時間表示装置１が示されている。更に、目的地までの所要時間を分単位で表示する機械式指針３を有する、文字盤に組み込まれた小さい別個の文字盤２．２が備えられている。ここには図示していないが、目的地までの所要時間を「時単位」で表示することもできる。
【００３１】
図６には、機械式指針５．１，５．２を有する文字盤２．１上に現在の時刻が表示されるアナログ時間表示装置１が示されている。更に、現在の時刻を表示する２つの機械式指針３．１、３．２を有する、文字盤２．１上に組み込まれた小さい別個の文字盤２．２が備えられている。
【００３２】
図７は本発明によるアナログ時間表示装置１の実施例、及びこの装置の自動車システム、特にカーナビシステムへの統合をブロック図で示している。図７に示す自動車の計器盤用のアナログ時間表示装置１は、現在の時刻と到着時間とが並行して表示される文字盤２を含んでいる。そのために到着時間又は目的地までの所要時間を表示するために一対の機械式指針３．１，３．２と、現在の時刻を表示するためのもう一対の機械式指針５．１及び５．２が使用される。更に、自動車に搭載されたカーナビ機器を含め自動車からの情報を受信するためにアナログ時間表示装置１をデータシステムに統合するためのインターフェースが示されている。このインターフェースには、カーナビ機器からの情報を処理し、転送するためのマイクロプロセッサが接続されている。マイクロプロセッサによって制御可能な複数の駆動ユニットは、到着時間を表示するための機械式指針３．１，３．２又は指針ユニットと、現在の時刻を文字盤２に表示するための機械式指針５．１，５．２又は指針ユニットを駆動する役割を果たす。
【符号の説明】
【００３３】
１  アナログ時間表示装置
２  文字盤
２．１  文字盤（異なる２つのアナログ時計の場合）
２．２  文字盤（異なる２つのアナログ時計の場合）
３  機械式指針、到着時間又は目的地までの所要時間を表示する手段
３．１  （大きい）機械式指針、到着時間及び／又は目的地までの所要時間を表示する手段
３．２  （小さい）機械式指針、到着時間及び／又は目的地までの所要時間を表示する手段
４  組み込まれた別個の表示窓
５．１  （大きい）機械式指針（現在時刻の表示用）
５．２  （小さい）機械式指針（現在時刻の表示用）
【図１】
2011227078.tif 000003
【図２】
2011227078.tif 000004
【図３】
2011227078.tif 000005
【図４】
2011227078.tif 000006
【図５】
2011227078.tif 000007
【図６】
2011227078.tif 000008
【図７】
2011227078.tif 000009